(57)【要約】【課題】靴面を任意に靴底と組合せて、多種の履き型を増やす靴の靴面交換可能構造を提供する。【解決手段】靴の靴面交換可能構造は、靴体の靴底部と靴面の間に定位枢設固定装置を設置して、靴面を結合する。更に靴面は、靴面本体、靴面前部及び靴面踵部の三段式で、これによって、靴面を靴底部に結合した時、使用者はこれら靴面本体、靴面前部、靴面踵部間の組合せ変化により、各種異なる履き方をする。【選択図】図２
0003123585.tif 000002
【実用新案登録請求の範囲】
【請求項１】
靴底部、中底、及び靴面、更に靴底部と靴面の間に設置する定位枢設固定装置から構成され、靴底部と靴面を分離式で結合し、任意の異なる履き方に交換する靴の靴面交換可能構造において、
靴面は、靴面本体、靴面前部、靴面踵部から構成され、そのうち、靴面本体両側の靴底部に対応する辺縁には定位枢設固定装置と結合する掛合い片が複数設置され、屈面踵部一端の両側に対応する箇所に靴孔が貫設され、また靴面前部は半円面構造で、その底面内側適所には複数の枢設掛合い体が凸設され、両側辺縁には定位枢設固定装置と結合する掛合い片が設置され、また靴面踵部は靴面本体に設置した後、その底端縁適所に定位枢設固定装置と結合する掛合い片が複数設置され、また開放一端両側適所には靴孔に通す延長帯体が凸設され、靴面本体と結合するもので、これら靴面本体、靴面前部、靴面踵部の間の組合せ変化により、靴が各種の異なる履き方に変化することを特徴とする靴の靴面交換可能構造。
【請求項２】
請求項１記載の靴の靴面交換可能構造において、前記定位枢設固定装置は、靴面前部に対応する押止塊、蓋板と、靴体中段で靴体本体と靴面踵部に対応する定位掛合い体等の部品から構成され、その押止塊は異形状で、靴底前端内縁に滑動して設置され、その側面辺には不規則に配列した定位板柱が複数凸設され、蓋板は押止塊上に被さり、その板面はこれら定位板柱に対応する位置に複数の長孔が貫設され、それらの長孔は靴面前部の底面の枢設掛合い体に凸設し、これらの枢設掛合い体が長孔内に入った時、この押止塊上の定位板柱はこれらの枢設掛合い体内縁に移動し、靴底部と靴面前部を結合するもので、次に定位掛合い対は靴底部の両側縁及び後端に配置し、その中空内壁面の適所には横向に掛片が凸設され、その掛片上に凸条が形成され、各掛合い片と組み合わさって固定し、靴面本体、靴面踵部を靴面前部と靴底で結合して一体にすることを特徴とする靴の靴面交換可能構造。
【請求項３】
請求項１記載の靴の靴面交換可能構造において、前記靴面踵部は、Ｕ字型で、且つその一端周辺面は全覆い型もしくは丁字型の半覆い型で、靴面の組合せ変化を増やすことを特徴とする靴の靴面交換可能構造。
【請求項４】
請求項１記載の靴の靴面交換可能構造において、前記靴底は、単独で靴面本体と結合し、一般のサンダル型を形成することを特徴とする靴の靴面交換可能構造。
【請求項５】
請求項１記載の靴の靴面交換可能構造において、前記靴底は、靴面本体及び靴面前部と結合し、前覆いの半覆い型を形成することを特徴とする靴の靴面交換可能構造。
【請求項６】
請求項１或いは請求項３記載の靴の靴面交換可能構造において、前記靴底は、靴面本体及び靴面踵部と結合し、サンダル式の履き方で、且つ靴面踵部は全覆い型もしくは半覆い型の異種があり、サンダルは二種の型変化があることを特徴とする靴の靴面交換可能構造。
【請求項７】
請求項１或いは請求項３記載の靴の靴面交換可能構造において、前記靴底は、靴面本体、靴面踵部及び靴面前部と結合し、一般のウォーキングシューズを形成し、靴面踵部は全覆い型もしくは半覆い型の異種あり、靴の履き方は二種の型変化があることを特徴とする靴の靴面交換可能構造。
【考案の詳細な説明】
【技術分野】
【０００１】
本考案は、靴の靴面交換可能構造に関するもので、特に靴の靴面を任意に靴底と組合せて、多種の履き型の靴を作るものである。
【背景技術】
【０００２】
公知の一般の靴は、サンダル、運動靴もしくはウォーキングシューズ等があり、靴底と靴面の間の結合は、ほとんどがしっかりと固定した状態で貼り付ける。そのため、組合せ変化はできない。ただ下記では交換が可能になる。図１に示すとおり、特許文献１の靴体は、靴底と靴面の間に枢設掛合いする定位装置及び複数の補助定位掛合い体を設置し、これらの組合せ定位構造により、異なる種類の靴面を靴底に任意に結合し、その結合は密着、安定する。
【０００３】
【特許文献１】日本実願２００１−００４９３４号明細書
【考案の開示】
【考案が解決しようとする課題】
【０００４】
本考案の主要な目的は、靴体の靴底部と靴面の間に定位枢設固定装置を設置して、靴面を結合する。更に靴面は、靴面本体、靴面前部及び靴面踵部の三段式で、これによって、靴面を靴底部に結合した時、使用者はこれら靴面本体、靴面前部、靴面踵部間の組合せ変化により、各種異なる履き方をする。
【課題を解決するための手段】
【０００５】
請求項１の考案は、靴底部、中底、及び靴面、更に靴底部と靴面の間に設置する定位枢設固定装置から構成され、靴底部と靴面を分離式で結合し、任意の異なる履き方に交換する靴の靴面交換可能構造において、
靴面は、靴面本体、靴面前部、靴面踵部から構成され、そのうち、靴面本体両側の靴底部に対応する辺縁には定位枢設固定装置と結合する掛合い片が複数設置され、屈面踵部一端の両側に対応する箇所に靴孔が貫設され、また靴面前部は半円面構造で、その底面内側適所には複数の枢設掛合い体が凸設され、両側辺縁には定位枢設固定装置と結合する掛合い片が設置され、また靴面踵部は靴面本体に設置した後、その底端縁適所に定位枢設固定装置と結合する掛合い片が複数設置され、また開放一端両側適所には靴孔に通す延長帯体が凸設され、靴面本体と結合するもので、これら靴面本体、靴面前部、靴面踵部の間の組合せ変化により、靴が各種の異なる履き方に変化することを特徴とする靴の靴面交換可能構造としている。
請求項２の考案は、請求項１記載の靴の靴面交換可能構造において、前記定位枢設固定装置は、靴面前部に対応する押止塊、蓋板と、靴体中段で靴体本体と靴面踵部に対応する定位掛合い体等の部品から構成され、その押止塊は異形状で、靴底前端内縁に滑動して設置され、その側面辺には不規則に配列した定位板柱が複数凸設され、蓋板は押止塊上に被さり、その板面はこれら定位板柱に対応する位置に複数の長孔が貫設され、それらの長孔は靴面前部の底面の枢設掛合い体に凸設し、これらの枢設掛合い体が長孔内に入った時、この押止塊上の定位板柱はこれらの枢設掛合い体内縁に移動し、靴底部と靴面前部を結合するもので、次に定位掛合い対は靴底部の両側縁及び後端に配置し、その中空内壁面の適所には横向に掛片が凸設され、その掛片上に凸条が形成され、各掛合い片と組み合わさって固定し、靴面本体、靴面踵部を靴面前部と靴底で結合して一体にすることを特徴とする靴の靴面交換可能構造としている。
請求項３の考案は、請求項１記載の靴の靴面交換可能構造において、前記靴面踵部は、Ｕ字型で、且つその一端周辺面は全覆い型もしくは丁字型の半覆い型で、靴面の組合せ変化を増やすことを特徴とする靴の靴面交換可能構造としている。
請求項４の考案は、請求項１記載の靴の靴面交換可能構造において、前記靴底は、単独で靴面本体と結合し、一般のサンダル型を形成することを特徴とする靴の靴面交換可能構造としている。
請求項５の考案は、請求項１記載の靴の靴面交換可能構造において、前記靴底は、靴面本体及び靴面前部と結合し、前覆いの半覆い型を形成することを特徴とする靴の靴面交換可能構造としている。
請求項６の考案は、請求項１或いは請求項３記載の靴の靴面交換可能構造において、前記靴底は、靴面本体及び靴面踵部と結合し、サンダル式の履き方で、且つ靴面踵部は全覆い型もしくは半覆い型の異種があり、サンダルは二種の型変化があることを特徴とする靴の靴面交換可能構造としている。
請求項７の考案は、請求項１或いは請求項３記載の靴の靴面交換可能構造において、前記靴底は、靴面本体、靴面踵部及び靴面前部と結合し、一般のウォーキングシューズを形成し、靴面踵部は全覆い型もしくは半覆い型の異種あり、靴の履き方は二種の型変化があることを特徴とする靴の靴面交換可能構造としている。
【考案の効果】
【０００６】
本考案の靴の靴面交換可能構造は、靴面を任意に靴底と組合せて、多種の履き型を増やすという利点がある。
【考案を実施するための最良の形態】
【０００７】
図２から図６に示すとおり、本考案は靴底部１０、中底２０、靴面３０、及び靴底部１０と靴面３０の間に設置する定位枢設固定装置４０から構成される。そのうち、
靴底部１０は一般の靴型形底で、その内縁は中空であり、そこに定位枢設固定装置４０が設置されて固定される。
中底２０は、靴底部１０よりやや小さい靴形体で、定位枢設固定装置４０上縁に設置する。
【０００８】
靴面３０は、靴面本体３１、靴面前部３２、及び靴面踵部３３から構成される。そのうち、
靴面本体３１はアーチ型形状で、下方両側は靴底部１０の辺縁に対応して複数の定位枢設固定装置４０と結合するための掛合い片３１１が設置され、後方の靴面踵部３３に対応する両側側面適所には靴孔３１２が貫設される。
靴面前部３２は、半円面で包まれた構造で、その底面内縁の適所に複数の枢設掛合い体３２１を設置し、且つ両側辺縁には定位枢設固定装置４０と結合する掛合い片３２２を設置する。
【０００９】
靴面踵部３３はＵ字型形状で、靴面本体３１後端に設置する。この底端適所には定位枢設固定装置４０と結合する掛合い片３３１を複数設置し、開放一端の両側適所には靴孔３１２に嵌める延長帯体３３２を設置し、且つ各延長帯体３３２外縁面適所には可動粘着部３３３を設置する。また靴面踵部３３の平行に相対する外縁適所には固定粘着部３３４が設置され、延長帯体３３２を靴孔３１２に通した後、可動粘着部３３３を固定粘着部３３４に貼り付け、靴面本体３１と結合する。また靴面踵部３３の構造は、開放箇所に相対する一端が全面覆い形状か、丁字型の半覆い形状の二種で、靴面本体３１と結合した時、靴面３０の組合せ変化が増える。
【００１０】
定位枢設固定装置４０は、公知のものであるので、ここでは簡単に説明するだけにする。この定位枢設固定装置４０は靴体前方に靴面前部３２に対応する設置台４１、押止塊４２、蓋板４３、及び靴体中段に靴面本体３１と靴面踵部３３と対応する複数の定位掛合い体４４等から構成される。そのうち、この設置台４１を靴底１０前端に置き、その上の適所に位置限定塊４１１を凸設し、その位置限定塊４１１で押止塊４２を定位させる。この押止塊４２の適する箇所には、位置限定塊４１１を嵌め込む中空部４２１が形成され、滑動できる状態で設置台４１内に置き、その外周面の各側辺にはそれぞれ不規則に配列した複数個の定位板柱４２２が設置される。また、蓋板４３は、押止塊４２上に被せ、その板面はこれらの定位板柱４２２に対応する位置には複数の長孔４３１が貫設される。そしてこれらの定位板柱４２２を押止塊４２の移動に沿い、長孔４３１内に嵌め込む。続いて定位掛合い体４４は靴底１０に沿い、中段、後段内壁面で等間隔に設置し、その中空内壁面の適所には掛片４４１を横向きに凸設し、その掛片４４１上に凸条４４２を成形し、各掛合い片３１１、３２２、３３１と掛合い、固定する。これらによって、靴面本体３１、靴面前部３２及び靴面踵部３３は、靴底１０と結合して一体となる。尚、この結合技術は公知のものであるため、これ以上詳述しない。
【００１１】
上述の構造部品の構成により、靴面３０と靴底１０は、分離方式で組み合わせたり、外したりでき、同時に靴面本体３１と靴面前部３２及び靴面踵部３３を三段式で交差組合せ変化を行い、靴面３０が全覆い、半覆い、サンダルなど異なるはき方になる。
【００１２】
図３から図８に示すとおり、本考案の靴面３０は、靴底部１０上の変化によって分けられる。第一種は、靴面本体３１、靴面前部、及び靴面踵部３３を同時に靴底部１０上で全覆いする靴型で（図３参照）、この種の靴型は半覆い方式の靴面踵部３３を交換することによって、第二種に使用例に変化する（図４参照）。第三、第四種使用例は、図５，６に示すとおり、靴底部１０上に靴面本体３１及び靴面踵部３３だけで設置してサンダル式にする。もちろん靴面踵部３３は、全覆い式もしくは半覆い式に交換でき、この種の型式の変化ができる。次に第五種の使用例は、靴面本体３１及び靴面前部３２を靴底部１０上に組み、所謂半覆い式にする。そして、第六種の使用例は、靴底部１０を単独で靴面本体３１と結合させ、サンダル式にする。
【図面の簡単な説明】
【００１３】
【図１】公知の立体分解図である。
【図２】本考案の立体分解表示図である。
【図３】本考案の靴面と靴底部の組合せ第一種使用例図である。
【図４】本考案の靴面と靴底部の組合せ第二種使用例図である。
【図５】本考案の靴面と靴底部の組合せ第三種使用例図である。
【図６】本考案の靴面と靴底部の組合せ第四種使用例図である。
【図７】本考案の靴面と靴底部の組合せ第五種使用例図である。
【図８】本考案の靴面と靴底部の組合せ第六種使用例図である。
【符号の説明】
【００１４】
１０        靴底
２０        中底
３０        靴面
３１        靴面本体
３１１        掛合い片
３１２        靴孔
３２        靴面前部
３２１        枢設掛合い体
３２２        掛合い片
３３        靴面踵部
３３１        掛合い片
３３２        延長帯体
３３３        可動粘着部
３３４        固定粘着部
４０        定位枢設固定装置
４１        設置台
４１１        位置限定塊
４２        押止塊
４２１        中空部
４２２        定位板柱
４３        蓋板
４３１        長孔
４４        定位掛合い体
４４１        掛片
４４２        凸条
【図１】
0003123585.tif 000003
【図２】
0003123585.tif 000004
【図３】
0003123585.tif 000005
【図４】
0003123585.tif 000006
【図５】
0003123585.tif 000007
【図６】
0003123585.tif 000008
【図７】
0003123585.tif 000009
【図８】
0003123585.tif 000010